(57)【要約】【課題】他の機器に送信されたデータが変化してしまった場合、当該他の機器の利用者にデータが変化したことを気付かせることができる医療機器および医療機器のデータ送信方法を提供すること。【解決手段】医療機器２０は、他の機器３０に複数のデータを送信可能な機器であって、表示部２２と、当該医療機器２０を制御する制御部と、を備え、制御部は、複数のデータを表示部２２に表示させる表示処理部と、複数のデータを変換するデータ変換部と、を備え、データ変換部は、複数のデータのうちの１つが変化したとき、他の機器３０に複数のデータが判別不能に表示されるように、複数のデータを相互に関連付けた形式に変換する。【選択図】図５
2016181133.tif 000002
【特許請求の範囲】
【請求項１】
他の機器に複数のデータを送信可能な医療機器であって、
表示部と、
当該医療機器を制御する制御部と、を備え、
前記制御部は、前記複数のデータを前記表示部に表示させる表示処理部と、前記複数のデータを変換するデータ変換部と、を備え、
前記データ変換部は、前記複数のデータのうちの１つが変化したとき、前記他の機器に前記複数のデータが判別不能に表示されるように、前記複数のデータを相互に関連付けた形式に変換することを特徴とする医療機器。
【請求項２】
前記制御部は、前記複数のデータを画像データに変換することを特徴とする請求項１に記載の医療機器。
【請求項３】
前記制御部は、前記複数のデータを圧縮した圧縮データに変換する処理を行うことを特徴とする請求項１または請求項２に記載の医療機器。
【請求項４】
前記複数のデータは、時間的変化を示す時系列データを含むことを特徴とする請求項１または請求項２に記載の医療機器。
【請求項５】
他の機器に複数のデータを送信可能な医療機器のデータ送信方法であって、
前記複数のデータのうちの１つのデータが変化したとき、前記複数のデータが前記他の機器に判別不能に表示されるように、前記複数のデータを相互に関連付けた形式に変換する工程と、
変換されたデータを前記他の機器に送信する工程とを備えていることを特徴とする医療機器のデータ送信方法。
【発明の詳細な説明】
【技術分野】
【０００１】
本発明は、医療機器および医療機器のデータ送信方法に関する。
【背景技術】
【０００２】
従来、他の機器にデータを送信可能な医療機器が知られている（例えば、特許文献１参照）。
特許文献１に記載の医療機器は、患者の健康状態を測定し、測定したデータを遠隔地のデータ収集機器に送信するように構成されている。
【先行技術文献】
【特許文献】
【０００３】
【特許文献１】特許第３６３６０１８号公報
【発明の概要】
【発明が解決しようとする課題】
【０００４】
医療機器から他の機器にデータを送信する際、他の機器やデータの伝送経路上でデータが変化していないことを保証するためには、当該他の機器でエラーチェックをすることが必要となる。しかしながら、メーカーによっては、医療機器としての認証をとる品質マネジメントシステムがないことがある。この場合、当該メーカーの機器は、医療機器から正しくデータを受信する機能を保証することができないので、送信側の医療機器で、データの信頼性を保証しなくてはならない。
【０００５】
本発明の目的は、他の機器に送信されたデータが変化してしまった場合、当該他の機器の利用者にデータが変化したことを気付かせることができる医療機器および医療機器のデータ送信方法を提供することにある。
【課題を解決するための手段】
【０００６】
本発明の医療機器は、他の機器に複数のデータを送信可能な医療機器であって、表示部と、当該医療機器を制御する制御部と、を備え、前記制御部は、前記複数のデータを前記表示部に表示させる表示処理部と、前記複数のデータを変換するデータ変換部と、を備え、前記データ変換部は、前記複数のデータのうちの１つが変化したとき、前記他の機器に前記複数のデータが判別不能に表示されるように、前記複数のデータを相互に関連付けた形式に変換することを特徴とする。
【０００７】
本発明によれば、医療機器は、他の機器に複数のデータが判別不能に表示されるように、複数のデータを相互に関連付けた形式に変換するため、他の機器に送信されたデータが変化してしまった場合、当該他の機器の利用者にデータが変化したことを気付かせることができる。
【０００８】
本発明の医療機器において、前記制御部は、前記複数のデータを画像データに変換することが好ましい。
【０００９】
本発明によれば、医療機器が複数のデータを画像データに変換するため、データが変化したときは画像データ全体が変化することになり、他の機器の利用者にデータが変化してしまったことを容易に気付かせることができる。
【００１０】
本発明の医療機器において、前記制御部は、前記複数のデータを圧縮した圧縮データに変換する処理を行うことが好ましい。
【００１１】
本発明によれば、医療機器が複数のデータを圧縮データに変換するため、簡易な方法で他の機器の利用者にデータが変化してしまったことを気付かせることができる。
【００１２】
本発明の医療機器において、前記複数のデータは、時間的変化を示す時系列データを含むことが好ましい。
【００１３】
本発明によれば、複数のデータが時系列データを含むため、データの更新が止まってしまった場合、他の機器に表示されている時系列データも更新されなくなるので、当該他の機器の利用者にデータ更新が止まってしまったことを気付かせることができる。
【００１４】
本発明の医療機器のデータ送信方法は、他の機器に複数のデータを送信可能な医療機器のデータ送信方法であって、前記複数のデータのうちの１つのデータが変化したとき、前記複数のデータが前記他の機器に判別不能に表示されるように、前記複数のデータを相互に関連付けた形式に変換する工程と、変換されたデータを前記他の機器に送信する工程とを備えていることを特徴とする。
【００１５】
本発明によれば、前述した医療機器と同様の効果を得ることができる。
【図面の簡単な説明】
【００１６】
【図１】本発明の一実施形態に係る医療システムの全体構成図。
【図２】医療システムのブロック図。
【図３】医療システムの処理を示すフローチャート。
【図４】医療システムにおけるデータの表示状態を示す図。
【図５】医療システムにおけるデータの表示状態を示す図。
【発明を実施するための形態】
【００１７】
以下、本発明の一実施形態を図面に基づいて説明する。
図１において、医療システム１０は、医療機器２０および他の機器としての端末３０を備えている。
【００１８】
医療機器２０は、医療データの測定や処理を行う機器であり、当該医療データ含む各種データを表示可能に構成され、病院や患者の自宅に配置される。医療機器２０は、一般回線や専用回線等の回線１１で端末３０に接続され、当該回線１１を介して端末３０に複数のデータを送信可能となっている。医療機器２０としては、例えば、画像診断装置、バイタルサイン測定機器、薬剤投与装置、血糖値測定装置、体温計、血圧計がある。
【００１９】
端末３０は、医療機器２０との通信が可能に構成され、例えば、ナースステーションに設置されたパーソナルコンピュータ等の設置端末や、看護婦が携帯する携帯電話、スマートフォンおよびタブレット端末等の携帯端末で構成される。
【００２０】
以上の医療システム１０では、例えば、医療機器２０で測定した医療データが「４．０Ｌ／ｍｉｎ」である場合、図１に示すように、医療機器２０および端末３０に「４．０Ｌ／ｍｉｎ」と表示される。
【００２１】
図２は、医療システム１０のブロック図である。
図２において、医療機器２０は、操作部２１、表示部２２、通信部２３、測定部２４および制御部２５を備えている。
操作部２１は、医療機器２０に対する入力操作を行うためのものであり、例えば、キーボード、マウス、ポインティング機器、タッチパネル、音声入力装置により構成される。
表示部２２は、操作部２１に対する入力や、通信部２３が取得したデータなどを表示するためのものであり、例えば、液晶などを用いた表示パネルにより構成される。
通信部２３は、回線１１を介して端末３０との通信を行うように構成されている。
【００２２】
制御部２５は、医療機器２０を制御するためのものであり、例えば、マイクロプロセッサ等の情報処理装置により構成される。
制御部２５は、表示処理部２５１およびデータ変換部２５２を備えている。
表示処理部２５１は、測定部２４による測定データを含む複数のデータを表示部２２に表示させる処理を行う。
データ変換部２５２は、複数のデータを変換するように構成されている。本実施形態の場合、データ変換部２５２は、複数のデータを１つの画像データＰＤ（図５参照）に変換する。画像データＰＤのデータ形式としては、例えば、ＪＰＥＧ（Joint Photographic Experts Group）、ＧＩＦ（Graphics Interchange Format）、ＰＮＧ（Portable Network Graphics）、ＢＭＰ（Bitmap）が利用できる。
【００２３】
端末３０は、操作部３１、表示部３２、通信部３３および制御部３４を備えている。
操作部３１、表示部３２および通信部３３は、医療機器２０の操作部２１、表示部２２および通信部２３と同様の構成であるため、説明を省略する。
制御部３４は、端末３０の制御を行うように構成され、制御部２５と同様のハードウェアで構成することができる。
【００２４】
以上の医療システム１０において、医療機器２０で測定したデータを端末３０に表示させる手順について、図１を参照しつつ、図３に示すフローチャートに沿って説明する。
【００２５】
先ず、医療機器２０で行われる処理について説明する。
医療機器２０で電源オン操作が行われ、医療機器２０に電源が供給されると（ステップＳ１）、制御部２５は、測定部２４による測定処理を行う（ステップＳ２）。すなわち、制御部２５は、測定部２４から測定データを取得するとともに、当該測定データを表示部２２に表示させる処理を行う。例えば、測定データが「４．０Ｌ／ｍｉｎ」である場合、制御部２５は、図１に示すように、表示部２２に「４．０Ｌ／ｍｉｎ」と表示させる。次いで、制御部２５は、複数のデータを１つの画像データＰＤ（図５参照）に変換する処理を行う（ステップＳ３）。その後、制御部２５は、通信部２３により画像データＰＤを端末３０に送信する処理を行った後（ステップＳ４）、ステップＳ２に戻って処理を続ける。
【００２６】
次に、端末３０で行われる処理について説明する。
図３におけるステップＳ１の後、制御部３４は、通信部３３をデータ受信待ちの状態にする（ステップＳ５）。そして、通信部３３が医療機器２０から画像データＰＤを受信すると、制御部３４は、受信した画像データＰＤを表示部３２に表示させる処理を行う（ステップＳ６）。例えば、測定データが「４．０Ｌ／ｍｉｎ」である場合、制御部３４は、図１に示すように、表示部３２に「４．０Ｌ／ｍｉｎ」と表示させる。その後、制御部３４は、画像データＰＤに含まれる測定データを保存する処理を行った後（ステップＳ７）、ステップＳ５に戻って処理を続ける。
【００２７】
ここで、端末３０が医療機器として認証されていない場合、医療機器２０が端末３０に測定データをそのまま送信すると、何らかの理由により、例えば、端末３０や伝送経路上で測定データ中の数値データＤＴ１（図５参照）が変化してしまった際、その影響は数値データＤＴ１単体に及ぶ。そして、端末３０は、数値データＤＴ１が変化したことを認識できないため、受信した数値データＤＴ１を含む測定データをそのまま表示部３２に表示する。このため、例えば、測定データが「４．０Ｌ／ｍｉｎ」の場合、図４に示すように、医療機器２０には「４．０Ｌ／ｍｉｎ」と表示されるが、測定データ中の「４．０」という数値データＤＴ１が変化してしまったことで、端末３０には「２．０Ｌ／ｍｉｎ」と表示されることがある。この場合、端末３０の利用者は、「２．０Ｌ／ｍｉｎ」という表示が誤ったものであることに気付けないため、測定データが「２．０Ｌ／ｍｉｎ」であると誤認してしまう。
【００２８】
これに対し、医療機器２０は、図５に示すように、例えば、「４．０」という数値データＤＴ１と、「Ｌ／ｍｉｎ」という単位データＤＴ２と、医療機器２０の会社ロゴ「ＡＢＣ」等の機器データＤＴ３と、時間的変化としての日時「２０１５年４月１日１５：００」を示す時系列データＤＴ４とを相互に関連付けて１つの画像データＰＤに変換した上で、当該画像データＰＤを端末３０に送信する。このため、これらの複数のデータのうちの１つでも変化すると、画像データＰＤ全体に影響が及び、図５に示すように、端末３０では画像データＰＤが判別不能に表示されることになる。従って、端末３０の利用者は、医療機器２０から送信された測定データが変化してしまったことに気付くことができるので、利用者が測定データを誤認してしまうことを防止することができる。
【００２９】
以上のような本実施形態によれば、次のような効果がある。
すなわち、医療機器２０は、端末３０に複数のデータが判別不能に表示されるように、複数のデータを相互に関連付けた形式に変換するため、端末３０に送信されたデータが変化してしまった場合、当該端末３０の利用者にデータが変化したことを気付かせることができる。
【００３０】
また、医療機器２０が複数のデータを画像データＰＤに変換するため、データが変化したときは画像データＰＤ全体が変化することになり、端末３０の利用者にデータが変化してしまったことを容易に気付かせることができる。
【００３１】
また、複数のデータが時系列データＤＴ４を含むため、データの更新が止まってしまった場合、端末３０に表示されている時系列データＤＴ４も更新されなくなるので、当該端末３０の利用者にデータ更新が止まってしまったことを気付かせることができる。
【００３２】
なお、本発明は前述の実施形態に限定されるものではなく、本発明の目的を達成できる範囲での変形、改良等は本発明に含まれる。
例えば、データ変換部２５２は、複数のデータのうちの１つが変化したとき、端末３０に複数のデータが判別不能に表示されるように、複数のデータを変換するものであればよく、例えば、複数のデータを圧縮した圧縮データに変換してもよい。これにより、簡易な方法で端末３０の利用者にデータが変化してしまったことを気付かせることができる。圧縮データのデータ形式としては、例えば、ＪＰＥＧ（Joint Photographic Experts Group）、ＧＩＦ（Graphics Interchange Format）、ＰＮＧ（Portable Network Graphics）が利用できる。
【００３３】
データ変換部２５２は、複数のデータのうちの１つが変化したとき、端末３０に複数のデータが判別不能に表示されるのであれば、複数のデータを複数の画像データＰＤに変換してもよい。
データ変換部２５２は、複数のデータを音声データに変換してもよい。この場合、端末３０が受信した音声データをそのまま再生するものであれば、再生した音声を聞き取ることが困難になるため、端末３０の利用者にデータが変化してしまったことを気付かせることができる。
【００３４】
制御部２５は、画像データＰＤとともに、表示部３２の大きさに合わせた画像のサイズを端末３０に送信してもよい。これにより、端末３０は、医療機器２０から受信した画像を適切なサイズにして表示することができる。
通信部２３、３３は、相互に無線で通信可能とされてもよい。
【００３５】
医療機器２０は、測定データ以外のデータを含む複数のデータを変換し、変換後のデータを端末３０に送信してもよい。
端末３０は、医療機器としての認証されたものでもよい。
【符号の説明】
【００３６】
２０    医療機器
２２    表示部
２３    通信部
２５    制御部
３０    端末（他の機器）
２５１  表示処理部
２５２  データ変換部
【図１】
2016181133.tif 000003
【図２】
2016181133.tif 000004
【図３】
2016181133.tif 000005
【図４】
2016181133.tif 000006
【図５】
2016181133.tif 000007